(57)【要約】【課題】任意のタイミングで開始される無線通信を行いつつ、当該無線通信により発生する電磁波が画像データに悪影響を与えるのを抑制する。【解決手段】ＣＩＳが原稿の画像を読み取り、読み取った結果得られる画像データをアナログ信号としてＣＩＳケーブルに出力する。ＮＦＣインターフェースの近傍にＣＩＳケーブルが配置されている。ＣＩＳが規定ライン数スキャンした後、スキャンを停止させ、ＮＦＣインターフェースからポーリングを所定回数行わせてスキャンを再開させる。ポーリングに対して応答信号を返す携帯端末があれば、当該携帯端末との間でＮＦＣ方式のデータ通信が完了するまでスキャンを停止させる。【選択図】図５
2015012509.tif 000002
【特許請求の範囲】
【請求項１】
送信元及び受信元の装置間の距離が所定の通信可能距離内となることで確立される近距離無線通信を行うための近距離通信手段と、
画像を読み取って当該画像に係る画像データを生成する画像読み取り手段と、
前記近距離通信手段及び前記画像読み取り手段を制御する制御手段と、
前記画像読み取り手段と前記制御手段とを接続するケーブルとを備えており、
前記制御手段は、
前記画像読み取り手段を制御し、画像データを生成する画像データ生成処理と、
前記近距離無線通信により通信可能な相手側装置が前記通信可能距離内に存在するか否かを問い合わせる問い合わせ信号を前記近距離通信手段に出力させる、問い合わせ信号出力処理と、を行い、
前記近距離通信手段が前記問い合わせ信号に対する応答信号を受信したとき、前記応答信号を出力した前記相手側装置との前記近距離無線通信によるデータ送受信が完了するまで、前記画像データ生成処理を停止させることを特徴とする画像読み取り装置。
【請求項２】
前記制御手段は、前記画像データ生成処理中に前記問い合わせ信号出力処理を行わないことを特徴とする請求項１に記載の画像読み取り装置。
【請求項３】
前記制御手段は、予め決定されたタイミングで、前記画像データ生成処理を停止させつつ、前記問い合わせ信号出力処理を行うことを特徴とする請求項１又は２に記載の画像読み取り装置。
【請求項４】
前記制御手段は、画像データを生成する画像データ生成処理において前記画像読み取り手段に１画素列ずつ前記画像データを生成させ、
予め定められた数の前記画素列について前記画像データが生成されると、前記画像データ生成処理を停止させつつ、前記問い合わせ信号出力処理を行うことを特徴とする請求項３に記載の画像読取り装置。
【請求項５】
前記画像読み取り装置は、前記画像データを記憶する記憶手段をさらに備え、
前記制御手段は、前記画像読み取り手段から受信した画像データの前記記憶手段への記憶処理を行っている場合に未処理のデータ量が所定量以上になったとき、前記画像データ生成処理を停止しつつ、前記問い合わせ信号出力処理を行うことを特徴とする請求項１〜４のいずれか１項に記載の画像読み取り装置。
【請求項６】
前記画像読み取り装置は、画像データを記憶する記憶手段、及び、外部装置と通信可能な通信手段をさらに備え、
前記制御手段は、
前記記憶手段に記憶された前記画像データを、前記通信手段に前記外部装置へ送信させる送信制御処理を行い、
前記送信制御処理を行っている場合に未処理のデータ量が所定量以上になったとき、前記画像データ生成処理を停止させつつ、前記問い合わせ信号出力処理を行うことを特徴とする請求項１〜５のいずれか１項に記載の画像読み取り装置。
【請求項７】
前記制御手段は、前記画像データ生成処理を停止させている間に、他の装置から前記近距離無線通信により前記画像読み取り手段により新たな画像の読み取りを行う旨の指令を受信したとき、画像の読み取りが不能である旨を前記他の装置に送信することを特徴とする請求項１〜６のいずれか１項に記載の画像読み取り装置。
【請求項８】
前記制御手段は、前記画像出力制御処理中の前記問い合わせ信号出力処理において、前記近距離通信手段が出力する前記問い合わせ信号の電波強度を、前記画像データ生成処理中ではない前記問い合わせ処理においての前記問い合わせ信号の電波強度より小さくすることを特徴とする請求項１に記載の画像読み取り装置。
【発明の詳細な説明】
【技術分野】
【０００１】
本発明は、画像を読み取ることができる画像読み取り装置に関する。
【背景技術】
【０００２】
ＮＦＣ（near field communication）通信によりＮＦＣ対応の端末との間で認証だけをＮＦＣで行い、認証後、大量のデータは他の高速な規格で通信するというハンドオーバー機能を搭載したスキャナが知られている（特許文献１参照）。
【０００３】
また、原稿に記録された画像の読取りに加え、当該原稿に埋め込まれたＲＦＩＤタグから情報を読み取り可能なスキャナが知られている。当該スキャナは、画像の読取りとＲＦＩＤタグの読取りを同時に行うと、ＲＦＩＤタグの読取りにより発生する電磁波が読み取られた画像データに悪影響を与えることがあるため、用紙に設けられたＲＦＩＤタグの読み取りタイミングと、画像をスキャンするタイミングとを異ならせている（特許文献１参照）。
【０００４】
【特許文献１】特開２０１０−１３６０１６号公報
【特許文献２】特開２００７−８１５０９号公報
【発明の概要】
【発明が解決しようとする課題】
【０００５】
特許文献２に記載のスキャナは、ＲＦＩＤタグが原稿に埋め込まれている場合、画像の読取りが完了するまでＲＦＩＤタグの読取りを完全に行わないようにすることができる。しかしながら、特許文献１に記載のスキャナにおいて、ＮＦＣ通信を行うタイミングを決定するのは、携帯端末をもつユーザである。そのため、画像を読み取る最中にＮＦＣ通信を完全に停止してしまうと、ユーザが所望する処理が開始されず、不便である。
【０００６】
本発明の目的は、任意のタイミングで開始される無線通信を行いつつ、当該無線通信により発生する電磁波が画像データに悪影響を与えるのを抑制することが可能な画像読み取り装置を提供することである。
【課題を解決するための手段】
【０００７】
本発明の画像読み取り装置は、送信元及び受信元の装置間の距離が所定の通信可能距離内となることで確立される近距離無線通信を行うための近距離通信手段と、画像を読み取って当該画像に係る画像データを生成する画像読み取り手段と、前記近距離通信手段及び前記画像読み取り手段を制御する制御手段と、前記画像読み取り手段と前記制御手段とを接続するケーブルとを備えており、前記制御手段は、前記画像読み取り手段を制御し、画像データを生成する画像データ生成処理と、前記近距離無線通信により通信可能な相手側装置が前記通信可能距離内に存在するか否かを問い合わせる問い合わせ信号を前記近距離通信手段に出力させる、問い合わせ信号出力処理と、を行い、前記近距離通信手段が前記問い合わせ信号に対する応答信号を受信したとき、前記応答信号を出力した前記相手側装置との前記近距離無線通信によるデータ送受信が完了するまで、前記画像データ生成処理を停止させる。
【発明の効果】
【０００８】
本発明によると、画像の読み取りを行っている途中に無線通信によるデータ送受信が行われる場合、無線通信によるデータ送受信が完了するまで画像データ生成及び出力を停止させるため、任意のタイミングで開始される無線通信により発生する電磁波が画像データに悪影響を与えるのを抑制することができる。
【図面の簡単な説明】
【０００９】
【図１】本発明の一実施形態にかかる複合機（ＭＦＰ）の外観図である。
【図２】図１に示すＭＦＰの機能ブロック図である。
【図３】図１に示すＭＦＰのＮＦＣアンテナとＣＩＳケーブルとの位置関係を示した図である。
【図４】図１に示すＭＦＰが実行するスキャン処理の手順を示すフローチャートである。
【図５】図１に示すＭＦＰが実行するスキャン処理の処理内容を説明するための図である。
【図６】本発明の一実施形態の変形例について説明した図である。
【発明を実施するための形態】
【００１０】
以下、本実施形態にかかる画像読み取り装置について、添付図面を参照しつつ詳細に説明する。本実施形態は、スキャナ機能を有する複合機（ＭＦＰ：Multi Function Peripheral）に本発明を適用したものである。
【００１１】
ＭＦＰ１００は、スキャナ機能及び印刷機能を有している。スキャナ機能は、カラー読み取りが可能であってもモノクロ専用であってもよい。印刷機能は、カラー印刷が可能であってもモノクロ印刷が可能であってもよい。図１に示すように、ＭＦＰ１００の上部に、原稿フィーダ１２が設置されている。原稿フィーダ１２は、その下方に配置されたＣＩＳ２２（図２及び図３参照）に原稿を供給する。ＭＦＰ１００の正面には、ユーザインターフェース部４０が配置されている。
【００１２】
続いて、ＭＦＰ１００の概略構成について説明する。ＭＦＰ１００は、図２に示すように、制御部３０と、印刷機構１０と、ＣＩＳ（Contact Image Sensor)（読み取り手段）２２と、原稿フィーダ１２と、ユーザインターフェース部４０と、第１センサ１４ａと、第２センサ１４ｂと、無線ＬＡＮインターフェース１５とを有している。印刷機構１０は、印刷ヘッド、搬送装置、及び、記録媒体供給機構（共に不図示）を含んでいる。原稿供給機構は、手差しトレイや多数の記録媒体を収容したカセットからの自動供給機構である。）搬送装置は、原稿供給機構に供給された記録媒体を、印刷ヘッドを経由して排出部まで搬送する。印刷ヘッドは、搬送装置によって搬送された記録媒体に画像を印刷する。
【００１３】
図３（ａ）に示すように、原稿フィーダ１２は、原稿供給部１２ａと、ニップローラ２５と、搬送ローラ２６〜２８とを含んでいる。原稿フィーダ１２は図中破線で示した搬送経路に沿って原稿供給部１２ａに載置された原稿Ｐを搬送する。原稿供給部１２ａは、原稿フィーダ１２の上面に形成されており、傾斜した載置面１２ｂの下方に開口１２ｃが形成されている。載置面１２ｂに載置された原稿Ｐが開口１２ｂから原稿フィーダ１２内に向かって搬送される。開口１２ｃには第１センサ１４ａが配置されており、そのすぐ搬送方向下流側にニップローラ２５が配置されている。載置面１２ｂに載置された原稿Ｐの端部が駆動されていないニップローラ２５に当接する。このとき、第１センサ１４ａの出力がＯＮとなり、原稿Ｐが存在しないときは出力がＯＦＦとなる。ニップローラ２５の搬送方向下流側に第２センサ１４ｂが配置されており、さらに搬送方向下流側に一対のＣＩＳ２２が配置されている。一対のＣＩＳ２２は互いの読み取り面が搬送経路を挟んで対向するように配置されている。一対のＣＩＳ２２間を原稿Ｐが通過するときに、当該原稿Ｐの片面又は両面がＣＩＳ２２に読み取られる。一対のＣＩＳ２２の搬送方向下流側に、搬送経路を上方から下方に向かって反転させるための搬送ローラ２６〜２８が配置されている。
【００１４】
ニップローラ２５が駆動されると、載置面１２ｂに載置された原稿Ｐの搬送が開始され、第２センサ１４ｂの出力をＯＮにしつつ一対のＣＩＳ２２間を通過し、さらにローラ２６〜２８によって反転されて図中右方にある排出部（不図示）へと搬送される。第２センサ１４ｂの出力がＯＦＦからＯＮになったとき、原稿Ｐが一対のＣＩＳ２２間に到達したと判断することができる。また、第２センサ１４ｂの出力がＯＮからＯＦＦからになって所定時間が経過するか否かで原稿Ｐの後端が一対のＣＩＳ２２間を通過か否かを判断することができる。所定時間は、搬送された原稿Ｐの後端が第２センサ１４から一対のＣＩＳ２２を通過するまでの時間である。なお、原稿Ｐが第２センサ１４から一対のＣＩＳ２２間までの距離が搬送された否かは、ローラ２６に取り付けられた図示しないエンコーダの出力により検出することができる。
【００１５】
図２及び図３（ｂ）に示すように、ＣＩＳ２２は、Ａ／Ｄコンバータ２１に接続されている。また、図２及び図３に示すようにＣＩＳ２２とＡ／Ｄコンバータ２１とがＣＩＳフラットケーブル２３によって接続されている。ＣＩＳ２２は、一方向に延在しており、その下面において延在方向に沿ってレンズアレイ（不図示）が設けられている。ＣＩＳ２２は、所定位置に配置された用紙Ｐの幅方向にその長手方向（主走査方向）が沿うように配置されている。制御プログラム３２ａに従うＣＰＵ３１により制御されると、ＣＩＳ２２はＬＥＤ（Light Emitting Diode）からの光をレンズアレイによって読み取り対象となる原稿Ｐに照射し、その反射光をイメージプロセッサで撮像する。撮像された反射光の光強度信号はアナログ信号としてＣＩＳフラットケーブル２３に出力される（画像データ生成処理）。ＣＩＳフラットケーブル２３に出力されたアナログ信号は、Ａ／Ｄコンバータ２１に入力される。このとき、ＣＩＳ２２は、原稿Ｐにおいて主走査方向に配列された１ラインに対応する画素列単位で、各画素に対応する光強度信号をシリアル出力する。Ａ／Ｄコンバータ２１は、ＣＩＳ２２から入力されたアナログ信号を逐次デジタル信号に変換し得られた画素データ群として、制御部３０に出力する。
【００１６】
図３に示すように、ユーザインターフェース部４０は、動作状況の表示やユーザによる入力操作の受付を行う操作パネル４１、及び、ＮＦＣ（Near Field Communication）インターフェース４２が副走査方向に並んで配置されている。ＮＦＣインターフェース４２は、ＩＳＯ／ＩＥＣ２１４８１またはＩＳＯ／ＩＥＣ１８０９２の国際標準規格に基づいて、ＮＦＣ方式の無線通信（近距離無線通信）を可能にするインターフェースである。ＭＦＰ１００は、ＮＦＣインターフェース４２を介して携帯端末１１０などの外部装置とデータの送受信を行う。ＮＦＣインターフェース４２には、ループアンテナが内蔵されている。ＮＦＣインターフェース４２の裏側にスキャナ１１のＣＩＳフラットケーブル２３が通過している。このため、ＣＩＳフラットケーブル２３にアナログ信号が流れているとき、ＮＦＣインターフェース４２が通信を行うと、ＣＩＳフラットケーブル２３に流れるアナログ信号にノイズが発生することがある。
【００１７】
無線ＬＡＮインターフェース１５は、ＩＥＥＥの８０２．１１の規格およびそれに準ずる規格に基づいて、Ｗｉ−Ｆｉダイレクト方式（ＷＦＤ方式）の無線通信を可能にするインターフェースである。ＮＦＣ方式とＷＦＤ方式とでは、通信方式（すなわち無線通信の規格）が異なり、ＷＦＤ方式の方がＮＦＣ方式よりも通信距離が長く通信速度も速い。ＭＦＰ１００は、無線ＬＡＮインターフェース１５を介して携帯端末１１０との間でデータの送受信を行う。これにより、ＭＦＰ１００は、無線ＬＡＮインターフェース１５を介して携帯端末１１０との間でデータの送受信を行うことが可能となっている。
【００１８】
なお、ＷＦＤ方式は、ネットワークを管理するグループオーナー機器と、クライアント機器とでネットワークを構築し、そのネットワーク内でデータの受け渡しを可能にする通信方式である。そのため、無線ＬＡＮインターフェース１５を介して携帯端末１１０とデータ通信を行うには、当該携帯端末１１０と無線通信を確立させ、ＷＦＤネットワークを構築する必要がある。本形態では、ＭＦＰ１００がＷＦＤネットワークを構築する際のグループオーナー機器になり、携帯端末１１０がクライアント機器になる。クライアント機器は携帯端末１１０のみに限るものではなく、他のデバイスもクライアント機器としてＷＦＤネットワークに属することが可能である。ＭＦＰ１００は、クライアント機器の固有情報と、クライアント機器とＷＦＤ方式による無線通信を確立させるためのＷＦＤ接続情報とを記憶している。ＷＦＤ接続情報には、ＷＦＤネットワークを識別するための識別子であるＳＳＩＤ（Service Set IDentifier）やパスワード、ＭＦＰ１００のＩＰアドレスなど固有情報が含まれる。
【００１９】
制御部３０は、ＣＰＵ３１と、ＲＯＭ３２と、ＲＡＭ３３と、フラッシュメモリ３４と、Ａ／Ｄコンバータ２１とを含んでいる。ＲＯＭ３２には、ＭＦＰ１００を制御するための制御プログラム３２ａ（ファームウェア：後に詳述）や各種設定、初期値等が記憶されている。ＲＡＭ３３は、各種制御プログラムが読み出される作業領域として、あるいはデータを一時的に記憶する記憶領域として利用される。制御部３０は、ユーザからの指令に従って原稿Ｐの画像をスキャンを実行したとき、ＣＩＳ２２を制御して原稿Ｐの画像の読み取り結果である画素データ群を生成させる。制御部３０は、スキャナ１１が生成した画素データ群から当該原稿Ｐに対応する画像データファイル３４ａを生成する。制御部３０は、生成した画像データファイル３４ａをフラッシュメモリ３４に記憶する。
【００２０】
ＣＰＵ３１は、ＲＯＭ３２から読み出した制御プログラム３２ａや各種センサから送られる信号に従って、その処理結果をＲＡＭ３３に記憶させながら、ＭＦＰ１００の各構成要素を制御する。
【００２１】
次に、制御プログラム３２ａによるスキャン動作について図４のフローチャートを参照しつつ説明する。制御プログラム３２ａは、ユーザからのスキャン指令が、操作パネル４１、ＮＦＣインターフェース４２又は無線ＬＡＮインターフェース１５を介して入力されると、原稿Ｐのスキャンを開始する。図４に示すように、スキャンが開始されると、ＣＰＵ３１は、第１センサ１４ａの出力がＯＮになっているか否か、すなわち、スキャン対象となる原稿Ｐが原稿供給部１２ａの載置面１２ｂに配置されているか否かを判断する（Ｓ１０１）。ＣＰＵ３１は、第１センサ１４ａの出力がＯＮになっていないと判断すれば（Ｓ１０１：ＮＯ）、原稿Ｐのスキャンが開始不可である旨（エラー）を、操作パネル４１に表示させ（Ｓ１０２）、図４のフローチャートを終了する。
【００２２】
ＣＰＵ３１は、第１センサ１４ａの出力がＯＮになっていると判断すれば（Ｓ１０１：ＹＥＳ）、ニップローラ２５の駆動を開始し、第２センサ１４ｂの出力がＯＦＦからＯＮに変化するまで原稿Ｐを搬送する（Ｓ１０３）。そして、ＣＩＳ２２を起動し、スキャンを開始する（Ｓ１０４：スキャンＯＮ）。スキャンが開始されると、ＣＩＳ２２は、原稿Ｐを主走査方向の１ライン単位でスキャンし、スキャンした結果得られた画像データをアナログ信号としてＡ／Ｄコンバータ２１に出力する。Ａ／Ｄコンバータ２１は入力されたアナログ信号をデジタル信号に変換し、ＲＡＭ３３に記憶させる。原稿フィーダ１２は１ラインのスキャンが完了すると原稿を搬送し、隣接する次の１ラインをスキャンする。スキャン指令に関する全ての原稿Ｐに対してスキャンが完了するまで以上の動作が繰り返し実行される。なお、ＣＰＵ３１は、スキャンと同時並行で、ＲＡＭ３３に記憶された画素データを、画像データファイル３４ａとしてフラッシュメモリ３４に書き込んでいったり（記憶処理）、画像データ群を外部装置に送信したりする（送信制御処理）。スキャンが完了すると画像データファイル３４ａが完成する。このとき、ＣＰＵ３１は、携帯端末１１０などの外部装置にデータ送信する必要のある場合は、画像データをＷＦＤ方式の通信などを用いて外部装置へ送信する。
【００２３】
ＣＰＵ３１は、原稿単位のスキャンが完了したか否かを判断する（Ｓ１０５）。ＣＰＵ３１は、原稿単位のスキャンが完了したと判断すれば（Ｓ１０５：ＹＥＳ）、ＣＩＳ２２によるスキャンを停止する（Ｓ１０６：スキャンＯＦＦ）。そして、ＣＰＵ３１は、引き続き、ＲＡＭ３３に記憶された画像データ群から、画像データファイル３４ａを生成し、フラッシュメモリ３４に記憶させたり（記憶処理）、画像データ群を外部装置へ送信させたり（送信制御処理）しつつ、また、原稿フィーダ１２を制御して、スキャンが完了した原稿Ｐの排出及び、次の原稿の給紙を含む搬送動作を原稿フィーダ１２にさせつつ、ＮＦＣインターフェース４２近傍にＮＦＣ方式の通信を希望する携帯端末１１０が存在するか否かを探索するため、ＮＦＣインターフェース４２からポーリング（問い合わせ信号出力処理）をＭ（Ｍは自然数）回発信させる（Ｓ１０７）。携帯端末１１０は、ＮＦＣ方式の通信準備が完了している場合、受信したポーリングに対して応答信号を出力する。ＣＰＵ３１は、発信したポーリングに対する応答信号をＮＦＣインターフェース４２が受信（ポーリングＨＩＴ）したか否かを判断する（Ｓ１０８）。
【００２４】
ＣＰＵ３１は、ポーリングに対する応答信号をＮＦＣインターフェース４２が受信したと判断すれば（Ｓ１０８：ＹＥＳ）、応答信号を発信した携帯端末１１０との間でＮＦＣ方式の通信を開始する（Ｓ１０９）。ＣＰＵ３１は、携帯端末１１０との間のＮＦＣ方式の通信によりジョブの受信が完了すると（Ｓ１１０：ＹＥＳ）、受信したジョブがスキャン指令か否かを判断する（Ｓ１１１）。ＣＰＵ３１は、受信したジョブがスキャン指令でないと判断すれば（Ｓ１１１：ＮＯ）、ジョブを受付したことを携帯端末１１０に通知するとともに受信したジョブを実行する（Ｓ１１２）。ＣＰＵ３１は、受信したジョブがスキャン指令であると判断すれば（Ｓ１１１：ＹＥＳ）、受信したジョブが受付不能であることを携帯端末１１０に通知して（Ｓ１１３）、スキャンを再開し（Ｓ１０４）、上述の処理を繰り返す。
【００２５】
ＣＰＵ３１は、発信したポーリングに対する応答信号をＮＦＣインターフェース４２が受信していないと判断すれば（Ｓ１０８：ＮＯ）、第１センサがオンか否かにより、スキャン対象となる次の原稿Ｐが有るか否かを判断する（Ｓ１１４）。ＣＰＵ３１は、スキャン対象となる次の原稿Ｐが有ると判断すれば（Ｓ１１４：ＹＥＳ）、読取り位置まで次の原稿Ｐを搬送し、（Ｓ１０３）、以下、上述の処理を繰り返す。ＣＰＵ３１は、スキャン対象となる次の原稿Ｐが無いと判断すれば（Ｓ１１４：ＮＯ）、図４のフローチャートを終了する。
【００２６】
ＣＰＵ３１は、先の判断において、原稿単位のスキャンが完了していないと判断すれば（Ｓ１０５：ＮＯ）、規定ライン数のスキャンが完了したか否かを判断する（Ｓ１１５）。ＣＰＵ３１は、規定ライン数のスキャンが完了したと判断すれば（Ｓ１１５：ＹＥＳ）、ＣＩＳ２２によるスキャンを停止する（Ｓ１１６：スキャンＯＦＦ）。そして、ＣＰＵ３１は、ＮＦＣインターフェース４２近傍にＮＦＣ方式の通信を希望する携帯端末１１０が存在するか否かを探索するため、ＮＦＣインターフェース４２からポーリングをＮ（Ｎ＜Ｍ）回発信させる（Ｓ１１７）。ＣＰＵ３１は、発信したポーリングに対する応答信号をＮＦＣインターフェース４２が受信（ポーリングＨＩＴ）したか否かを判断する（Ｓ１１８）。ＣＰＵ３１は、発信したポーリングに対する応答信号をＮＦＣインターフェース４２が受信したと判断すれば（Ｓ１１８：ＹＥＳ）、応答信号を発信した携帯端末１１０との間でＮＦＣ方式の通信を開始し（Ｓ１０９）、以下、上述の処理を繰り返す。ＣＰＵ３１は、発信したポーリングに対する応答信号をＮＦＣインターフェース４２が受信していないと判断すれば（Ｓ１１８：ＮＯ）、スキャンを再開し（Ｓ１０４）、以下、上述の処理を繰り返す。
【００２７】
ＣＰＵ３１は、規定ライン数のスキャンが完了していないと判断すれば（Ｓ１１５：ＮＯ）、画像データ群をフラッシュメモリ３４へ書き込みを行う記憶処理や画像データの送信である送信制御処理が遅れることによって発生する処理待ちになっているか否かを判断する（Ｓ１１９）。上述したように、これらの処理は、スキャンとは同時進行で行われているが、ＣＰＵ３１の負荷増大や通信トラフィックの増大により、スキャンで生成された画像データ群の処理が追いつかなくなり、未処理データが蓄積していくことがある。この蓄積されたデータ量が所定量以上となったとき処理待ちになったと判断される。
【００２８】
ＣＰＵ３１は、処理待ちになっていると判断すれば（Ｓ１１９：ＹＥＳ）、ＣＩＳ２２によるスキャンを停止する（Ｓ１２０：スキャンＯＦＦ）。そして、ＣＰＵ３１は、ＮＦＣインターフェース４２近傍にＮＦＣ方式の通信を希望する携帯端末１１０が存在するか否かを探索するため、ＮＦＣインターフェース４２からポーリングを１回発信させる（Ｓ１２１）。ＣＰＵ３１は、発信したポーリングに対する応答信号をＮＦＣインターフェース４２が受信（ポーリングＨＩＴ）したか否かを判断する（Ｓ１２２）。ＣＰＵ３１は、発信したポーリングに対する応答信号をＮＦＣインターフェース４２が受信したと判断すれば（Ｓ１２２：ＹＥＳ）、応答信号を発信した携帯端末１１０との間でＮＦＣ方式の通信を開始し（Ｓ１０９）、以下、上述の処理を繰り返す。ＣＰＵ３１は、発信したポーリング信号に対する応答信号をＮＦＣインターフェース４２が受信していないと判断すれば（Ｓ１２２：ＮＯ）、処理待ちが解消されたか否かを判断する（Ｓ１２３）。ＣＰＵ３１は、処理待ちが解消されていないと判断すれば（Ｓ１２３：ＮＯ）、再び、ＮＦＣインターフェース４２からポーリング信号を発信させる（Ｓ１２０）。ＣＰＵ３１は、処理待ちが解消されたと判断すれば（Ｓ１２３：ＹＥＳ）、スキャンを再開し（Ｓ１０４）、以下、上述の処理を繰り返す。
【００２９】
図５（ａ）に示すように、本実施形態のＭＦＰ１００においては、スキャン動作が開始された後に、規定ライン数のスキャンが完了する毎、及び、原稿単位のスキャンが完了する毎に、スキャンを一時停止してポーリングを行う。このとき、図５（ｂ）に示すように、携帯端末１１０から応答信号があれば、ＭＦＰ１００と携帯端末１１０との間でＮＦＣ方式によるデータ通信が完了するまで、スキャンを停止させる。このように、ＭＦＰ１００は、スキャンと同時に、ポーリング及びＮＦＣ方式によるデータ通信を行うことがない。また、原稿単位のスキャンが完了した後は、生成した画像データファイル３４ａをフラッシュメモリ３４に記憶させつつ、ＮＦＣインターフェース４２からポーリング信号をＭ回発信させる。
【００３０】
なお、ＮＦＣ方式の通信で受信したジョブがＷＦＤ方式の通信によるフラッシュメモリ３４に記憶された画像データファイル３４ａを携帯端末１１０に送信させる送信処理を指示するものであれば、ＮＦＣ方式のデータ通信では互いのＷＦＤ接続情報を送受信するハンドオーバーを実行することで、ＭＦＰ１００と携帯端末１１０との間でＷＦＤ方式の通信を確立させる。
【００３１】
以上、詳細に説明したように本実施形態のＭＦＰ１００によると、スキャン（画像データ生成処理）している途中にＮＦＣ方式による通信が行われた場合、ＮＦＣ方式の通信によるデータ送受信が完了するまでスキャンの再開及びスキャンに伴うＣＩＳフラットケーブル２３への画像データの出力を停止させるため、任意のタイミングで開始されるＮＦＣ方式の通信により発生する電磁波がスキャンにより得られる画像データに悪影響を与えるのを抑制することができる。
【００３２】
さらに、記憶処理がスキャンの画像データ群生成速度に追いつかず未処理データが所定量以上蓄積したとき、スキャンを停止して、記憶処理を完了させつつ、ポーリングを行っているため、ポーリングの頻度を高くすることができる。
【００３３】
また、スキャンと同時にＮＦＣ方式によるデータ通信を行うことがないため、ＮＦＣ方式の通信により発生する電磁波がスキャンにより得られる画像データに悪影響を与えるのをより確実に抑制することができる。
【００３４】
さらに、送信制御処理がスキャンの画像データ群生成速度に追いつかず未処理データが所定量以上蓄積したとき、スキャンを停止して、記憶処理を完了させつつ、ポーリングを行っているため、ポーリングの頻度を高くすることができる。また、ポーリングを行うときはスキャンが停止されているため、ポーリングで発生する電磁波がスキャンにより得られる画像データに悪影響を与えるのを抑制することができる。
【００３５】
加えて、予め決定されたタイミング（規定ライン数のスキャンが完了する毎、及び、原稿単位のスキャンが完了する毎）に、スキャンを停止してポーリングを行うため、ポーリングの頻度を安定させることができる。
【００３６】
また、スキャンを一時停止しているときに、他の携帯端末１１０からスキャン指令を受信したとき、新たなスキャン指令を実行することができない旨を他の携帯端末１１０に通知するため、新たな画像データの取得を行うことができないことを他の携帯端末１１０のユーザに報知することができる。
【００３７】
＜変形例＞
本実施形態においては、スキャン中はポーリングを行わない構成であるが、スキャン中に任意又は所定のタイミングでポーリングを行ってもよい。本変形例においては、図６（ａ）に示すように、スキャン中のポーリングの信号強度が、スキャン停止中のポーリングの信号強度よりも低い。これにより、ポーリングで発生する電磁波がスキャンにより得られる画像データに悪影響を与えるのを抑制することができる。なお、図６（ｂ）に示すように、スキャン中のポーリングに対する応答信号をＮＦＣインターフェース４２が受信すると、スキャンを一時停止した後に、応答信号を発信した携帯端末１１０との間でＮＦＣ方式のデータ通信を行う。データ通信が完了すると、一時停止していたスキャンを再開させる。
【００３８】
なお、本実施形態は単なる例示にすぎず、本発明を何ら限定するものではない。したがって本発明は当然に、その要旨を逸脱しない範囲内で種々の改良、変形が可能である。例えば、上述の実施形態では、送信処理を行っている間、ポーリングを行う構成となっているが、送信処理を行っている間、ポーリングを行わない構成であってもよい。
【００３９】
加えて、上述の実施形態においては、規定ライン数のスキャンが完了する毎、及び、原稿単位のスキャンが完了する毎に、スキャンを一時停止してポーリングを行う構成であるが、規定ライン数のスキャンが完了する毎、及び、原稿単位のスキャンが完了する毎のいずれか一方のみのタイミングでポーリングを行う構成であってもよいし、これら以外のタイミングでポーリングを行ってもよい。
【００４０】
また、スキャンを一時停止しているときに、他の携帯端末１１０からスキャン指令を受信したとき、新たなスキャン指令を実行することができない旨を他の携帯端末１１０に通知する構成であるが、このような通知を行わない構成であってもよい。
【００４１】
固定されたＣＩＳ２２（スキャナ）の読み取り面と対面するように原稿を搬送することでスキャンする構成となっているが、用紙を固定しスキャナを移動させることでスキャンするフラッドベッドタイプを用いる構成であってもよい。
【００４２】
また、上述の実施形態は複合機に本発明を適用した例について説明したが、本発明は、スキャナ機能を有する装置であれば他の種類の装置に対しても適用可能である。
【符号の説明】
【００４３】
１０…印刷機構
１１…スキャナ
１２…用紙フィーダ
１４ａ…用紙センサ
１４ｂ…用紙センサ
１５…無線ＬＡＮインターフェース
２１…Ａ／Ｄコンバータ
２２…ＣＩＳ
２３…ＣＩＳハーネス
３０…制御部
３１…ＣＰＵ
３２…ＲＯＭ
３２ａ…制御プログラム
３３…ＲＡＭ
３４…フラッシュメモリ
３４ａ…画像データ
４０…ユーザインターフェース部
４１…操作パネル
４２…ＮＦＣインターフェース
１００…ＭＦＰ
１１０…携帯端末
【図１】
2015012509.tif 000003
【図２】
2015012509.tif 000004
【図３】
2015012509.tif 000005
【図４】
2015012509.tif 000006
【図５】
2015012509.tif 000007
【図６】
2015012509.tif 000008